Podtech/llm-jp-corpus-v4-ja_patent huggingface dataset:
(57)【要約】      （修正有）【課題】ごみ袋をいっぱいに入れた場合でも袋の口を結び易く、又ごみ袋を他の用途にも利用できるようにしたごみ袋を提供する。【解決手段】合成樹脂で構成された透明または半透明の袋の上縁真下に取っ手穴を設け、袋表面にアートや広告を印刷し、また、上縁に曲線を設け凹凸をつくることで、袋の口を結び易くする。【選択図】図１
0003142552.tif 000002
【実用新案登録請求の範囲】
【請求項１】
ごみ廃棄を用途の一つとし、合成樹脂フィルムにより構成された透明または半透明の袋において、袋上縁真下に取っ手穴を設け、袋表面にアートや広告を印刷したことを特徴とする袋。
【請求項２】
ごみ廃棄を用途の一つとし、合成樹脂フィルムにより構成された透明または半透明の袋において、袋上縁が曲線を設け凹凸状にカットし、袋表面にアートや広告を印刷したことを特徴とする袋。
【考案の詳細な説明】
【技術分野】
【０００１】  本考案は、合成樹脂で構成された透明または半透明のごみ袋に関するものである。
【背景技術】
【０００２】従来から、可燃ごみや不燃ごみ等を廃棄することを目的に、ごみ袋が使用されている。その構成は、単に合成樹脂フィルムで袋を形作ったものであり、上縁は一直線で構成され、透明または半透明で無地である。
【考案の開示】
【考案が解決しようとする課題】
【０００３】従来のごみ袋は、透明または半透明で無地のものであり、透けて見える袋の中身に意識が集中するため、汚くマイナスの印象がある。【０００４】また、単に合成樹脂フィルムで形作られた無地の袋であるため、用途がごみの廃棄に限られ、資源の効率的な活用がなされていないことである。【０００５】そして、上縁が一直線に構成されているため、ごみを袋いっぱいに入れた場合、上縁の端と端を結び付けることが困難なことである。
【課題を解決するための手段】
【０００６】本考案は、合成樹脂で構成された透明または半透明の袋の上縁真下に取っ手穴を設け、袋表面にアートや広告を印刷したことを特徴とするものである。【０００７】また、上縁に曲線を設け凹凸をつくることで、袋の口を結び易くしたものである。
【考案の効果】
【０００８】本考案は、従来のごみ袋に取っ手穴を設け、表面にアートや広告を印刷したことにより、単にごみを廃棄するといった使い方だけでなく、水着等の濡れ物を入れる袋や買い物袋として等、幅広い使い方を可能とし、貴重な資源を有効に活用するものである。【０００９】また、ごみ集積所に置かれるごみ袋の汚い印象を払拭する。アートや広告を印刷したことにより、明るく楽しい印象を与え、ごみに対する価値観を高める。これにより、“全てのものに価値がある。この世にごみはない。”というメッセージを発信し、いじめ問題等の社会問題の解決をも図る。【００１０】また、広告を記載した場合、通行人の意識を惹きつけ、無料で高い広告効果をもたらすものである。【００１１】上縁に曲線を設け凹凸をつくることにより、ごみを袋いっぱいに入れた場合にも、凸部分を結び合わせることで、袋の容量を最大限に活用することを可能とするものである。
【考案を実施するための最良の形態】
【００１２】図１を参照して説明する。
エコ袋１０は、合成樹脂フィルムで構成された透明または半透明の袋１１の上縁１４真下に取っ手穴１２を設け、袋表面にアートや広告１３を印刷している。【００１３】また、上縁１４は曲線を設け、凹凸状にカットしている。
袋のサイズ（Ｗ×Ｈ）は、４００ｍｍ×５００ｍｍから９００ｍｍ×１０００ｍｍまでとし、用途に応じて選択する。
【実施例】
【００１４】図２を参照して説明する。
ごみの廃棄を目的として使用する場合、ごみをエコ袋１０に入れ、上縁１４の凸部分１５と１６、１７と１８を結び合わる。
そして、ごみ集積所に配置することで、街を明るく楽しくする効果がある（図３）。【００１５】濡れ物等を入れる袋として使用する場合、物をエコ袋１０に入れ、取っ手穴１２に手を入れ、持ち運ぶ。これにより、“使い方はいろいろ、資源はひとつ。”を実現する。【００１６】エコ袋１０は、消耗品であり、営業活動ツールとして活用した場合、再度の定期的な訪問が可能である。また、従来のごみ袋は、透明または半透明で無地のものであり、ごみを廃棄することのみを目的とすることから、ごみ袋に対する生活者のこだわりは低いと考えられる。よって、アートなど付加価値をもたらした本考案は、多くの人に喜ばれるツールとなり営業活動の促進効果が期待できる。【００１７】エコ袋１０は、取っ手穴１２を設けているため、ごみ拾い活動をする場合、袋が持ち易い、また、その活動のメッセージや広告を袋に掲載１３することで、より効果的なごみ拾い活動を実施することが可能である。
【図面の簡単な説明】
【００１８】
【図１】本考案エコ袋の一実施形態を示す正面図
【図２】図１の実施形態の使用説明図である。
【図３】ごみ廃棄を目的とする場合の使用イメージ図
【符号の説明】
【００１９】１０エコ袋
１１袋体
１２取っ手穴
１３アートや広告掲載欄
１４上縁
１５凸部分
１６凸部分
１７凸部分▲２▼
１８凸部分▲２▼
Ｈ  高さ
Ｗ  幅
【図１】
0003142552.tif 000003
【図２】
0003142552.tif 000004
【図３】
0003142552.tif 000005
(57)【要約】      （修正有）【課題】印刷された画像、アニメーション等を簡単に３Ｄ（立体）で可視できる郵便物等の印刷物を提供する。【解決手段】印刷された画像等を簡単に３Ｄ（立体）可視できる立体めがねを一体に組み合わせた郵便物において、画像等が印刷された印刷部分Ａと、印刷部分に連続して設けられた一対のめがね用透孔に対応して一対の着色透明シートによって構成された立体めがね部Ｂと、立体めがね部に連続して設けられた、折り返すことで立体めがね部を補強できる折り返し部とを備える。【選択図】図１
0003142560.tif 000002
【実用新案登録請求の範囲】
【請求項１】
印刷された画像等を簡単に３Ｄ可視できる立体めがねを一体に組み合わせた郵便物において画像等が印刷された印刷部分と、
該印刷部分に連続して設けられた一対のめがね用透孔に対応して一対の着色透明シートによって構成された立体めがね部と、
該立体めがね部に連続して設けられた、折り返すことで前期立体めがね部を補強できる折り返し部とを備えることを特徴とする郵便物等の印刷物。
【請求項２】
前記一対の着色透明シートが貼付されることで前記立体めがね部が構成され、前記折り返し部が前記一対のめがね用透孔に対応した一対の透孔を有し、前記一対の着色透明シート剥離を防止するように折り返し接着されることを特徴とする請求項１記載の郵便物等の印刷物。
【請求項３】
前記立体めがね部を前記折り返し部とが一連続する部分の実質的に中央部に鼻掛け部となるべく開口部を設けたことを特徴とする請求項１又は２記載の郵便物等の印刷物。
【考案の詳細な説明】
【技術分野】
【０００１】  この考案は印刷された画像、アニメーション等を簡単に３Ｄ（立体）可視できる立体めがねを一体に組み合わせた郵便物等の印刷物に関する。
【背景技術】
【０００２】  従来の郵便物等の印刷物に印刷された写真画像、線画、絵、アニメ、漫画、（以下画像等という）などは平面的にしか見ることができず、製作者、撮影者などの意思、表現、臨場感などが十分に伝わらない問題があった。その画像等をアナグリフ画像により印刷し、３Ｄ（立体）に見ることができるめがねと一体にすることのできる郵便物等の印刷物を提供することを目的とする。【０００３】  すでに開示されている〔公開番号〕特開２００６−２７２５４〔公開番号〕特開２００６−４７９２３が示すメガネ部については、郵便物等の印刷物として作成する場合、使用する用紙の厚さに限度がある為強度が不十分となりメガネが変形する問題がある。【０００４】  メガネ部の着色透明シート部分は〔公開番号〕特開２００６−２７２５４〔公開番号〕特開２００６−４７９２３では郵便等での運搬時に接着したフィルム、セロファン等が剥離する問題がある。
【考案の開示】
【考案が解決しようとする課題】
【０００５】  郵便物等の印刷物に印刷された画像等の製作者、撮影者などの意思・表現・臨場感などを伝える為には、印刷された画像等を３Ｄ（立体）で見られることが必須である。【０００６】  〔公開番号〕特開２００６−２７２５４〔公開番号〕特開２００６−４７９２３が示す加工方法においては、めがね部の強度が不十分であり又、着色透明シート部については剥離する恐れがある。
【課題を解決する為の手段】
【０００７】  本考案にかかる郵便物等の印刷物の形態によれば、印刷された画像等を簡単に３Ｄ（立体）可視できる立体めがねを一体に組み合わせた郵便物において、画像等が印刷された印刷部分Ａと、印刷部分に連続して設けられた一対のめがね用透孔Ｃに対応して一対の着色透明シートＤによって構成された立体めがね部Ｂと、立体めがね部に連続して設けられた、折り返すことで立体めがね部を補強できる折り返し部Ｅとを備えることを特徴とする。
【０００８】  一対の着色透明シートＨが貼付されることで立体めがね部Ｂが構成され、折り返し部Ｅが一対のめがね用透孔部Ｃに対応した一対の透孔を有し、一対の着色透明シートＤの剥離を防止するように折り返し接着されることを特徴とする。
【０００９】  立体めがね部Ｂを折り返し部Ｅとが一連続する部分の実質的に中央部に鼻掛け部となるべく開口部Ｆを設けたことを特徴とする。
【発明の効果】
【００１０】  画像等の印刷物を簡単に立体視することができ作者、製作者の意図が伝わる。
観光地名所旧跡など写真などを３Ｄ立体で見ることにより臨場感がでてその場所に観光したい欲求がうまれる効果がある。
【発明を実施する為の最良の形態】
【００１１】  以下、本説明の実施例について説明する。
（１）郵便物等の印刷対象物に（郵送可能な定形、定形外郵便物のサイズ）にアナグリフ画像等を範囲Ａに印刷をする。
（２）Ｃの形状に切り抜く。（Ｅも同じ）
（３）Ｆの形状に切り抜く。
（４）着色透明シートＤを貼付する。
（５）Ｇのラインで折り目を入れる。
（６）Ｈのラインで切り取り線（半切断状態）を入れる。
（７）Ｇのラインで折り返し接着する。
【図面の簡単な説明】
【００１２】
【図１】本説明の図である
【図２】本説明の図である
【図１】
0003142560.tif 000003
【図２】
0003142560.tif 000004
(57)【要約】      （修正有）【課題】フックの内部に挟持爪を設け、竿に掛けた衣類を風圧による片寄りや脱落を防止する物干し用のハンガーを提供する。【解決手段】フック本体１の内部に上下に回動するＬ型の爪２を設け、フックを竿に掛け、手を離すと洗濯物の自重により爪が上昇し、該フック本体の内側部分と該回動爪の内側縁端２箇所の３箇所で竿を挟持してフックを固定し、洗濯物の片寄りや脱落の防止に役立つ。【選択図】図１
0003142555.tif 000002
【実用新案登録請求の範囲】
【請求項１】
フックの形状を小径の物干し竿でも接触面を広くするよう半楕円形に成型し、フックの内部に上下に回動するＬ型の爪を設け、フックを竿に掛けると洗濯物の自重によって爪が上昇し、竿を挟持してフックを固定するところを特徴とする物干し用のハンガー
【考案の詳細な説明】
【考案の詳細な説明】
【技術分野】
【０００１】本案は、フックの内部に回動するＬ型の爪を設け、フックを物干し竿に掛けると洗濯物の重みで爪が上昇して、爪が竿を挟んでフックを固定する物干し用のハンガーに関するものである。
【背景技術】
【０００２】フックと竿の接触面が少なく、風が吹くと洗濯物が風下に片寄り、密着して乾燥の妨げになる。この様な状態を防ぐにはバネ付きの固定挟みを使用する等、二次作業に時間と労力を要し、特に、握力の衰えた高齢者には労働負担となる。
【考案が解決しようとする課題】
【０００３】固定挟みやバネ付きのハンガーを用いると作業に時間を要し、労働負担も大きい。従って、バネ等の他力を用いることなく従来の使用方法で、竿に掛けるのみで、フックを固定することで前述の欠点を解消しようとするものである。
【課題を解決するための手段】
【０００４】本案は、合成樹脂などの適宜素材からなるフックの内部に、回動するＬ型の爪を設け、フックを竿に掛けると洗濯物の自重によって、爪は竿を確実に挟持して、吊るした場所から移動して乾燥の妨げにならないよう、フックを固定することで問題を解決している。
【考案を実施するための最良の形態】
【０００５】合成樹脂などの素材で、半楕円形に成型したフックの内部に嵌め込まれたＬ型の回動する爪は、無重時は自重によって下に降り掛け口を広げ、竿に掛けると洗濯物の自重によって爪は上に回動し、竿を挟んでフックを固定する。
【実施例】
【０００６】以下、添付図面に従って実施例を説明する。１は、合成樹脂などの適宜素材で成型されたフック本体で、２は、フックの内部に嵌め込まれた回動するＬ型の爪で、フックを竿に掛け、手を離すと洗濯物の自重によって爪の２ａ部と２ｂ部で竿を挟んで１ａ部に当たるまで上昇し、１ａ部に当たると上限停止して、１ａ、２ａ、２ｂの３箇所で竿を挟持してフックを固定する。
【考案の効果】
【０００７】上述の様に、従来のハンガーと同様に着脱するのみで、着時は竿を完全に挟んでフックを固定するもので、別途、固定挟みを用いるなどの煩わしい二次作業から解放され、作業効率も良く、特に、高齢者にとっては作業時間の短縮により労働負担の軽減に役立つ。
【図面の簡単な説明】
【図１】本案の無重時の状態を示した縦の断面図
【図２】自重が加わった状態を示した縦の断面図
【符号の説明】
１  フックの本体
２  回動爪
３  爪の支点軸
【図１】
0003142555.tif 000003
【図２】
0003142555.tif 000004
(57)【要約】【課題】寿司パックに入った寿司を食する際に、その蓋を有効に使用して、醤油用の小皿を使用しない、寿司パックの蓋を提供する。【解決手段】寿司パック蓋の内側中間部付近に醤油を溜める為の長方形、円形等の各種形状の凸部のドテを設け、その中に醤油を入れ醤油皿としての機能を付け、醤油が広がらない用にした事を特徴とする。【選択図】図１
0003142554.tif 000002
【実用新案登録請求の範囲】
【請求項１】
寿司パックの蓋の内側に長方形、円形又は各種形状の凸部のドテを設け、その中に醤油等を入れる小皿を設けた醤油皿付き寿司パック蓋。
【請求項２】
各種パックの蓋の内側に長方形、円形又は各種形状の凸部のドテを設け、その中にソース、ドレッシング等を入れる小皿を設けた皿付きパック蓋。
【考案の詳細な説明】
【技術分野】
【０００１】  本考案は、持ちかえり用のパック寿司を食べる際にパックの上蓋に醤油を注ぐ皿部を備えた構造に関するものである。
【背景技術】
【０００２】  従来は、スーパー、デパート、コンビニ等で寿司パック等の弁当を購入する人が非常に多く、特にポリエチレン、発砲ポリスチレン等の樹脂で成形された様々な形状、大きさの成形容器が広く使用された弁当を購入して社内、車内、屋内、屋外で食しており、その寿司を食する際，小袋入り醤油等を蓋の内側に入れて食しているのが現状である。
【考案の開示】
【考案が解決しようとする課題】
【０００３】  それには次のような問題点があった。
本来は、パック寿司を食べる際、蓋を醤油皿代わりにする事が多く、その場合、醤油が広がってしまう、あるいはそれを防ぐ為に、蓋を斜めにして醤油を一方に溜める事になるのだが、縁の溝に醤油が入り込んで、寿司に付けづらく問題があった。
本考案は，上記の問題点を解決するためのものである。
【課題を解決するための手段】
【０００４】  本考案は、寿司パックの蓋の内側に醤油を溜めるための長方形、円形等各種形状の立ち上がりのドテを設け、醤油皿としての機能を設け、その醤油皿の中に醤油を注ぎ、寿司パックから寿司を取出して醤油につけて食べられため、前述の問題点を解決している。又寿司パック以外の樹脂製の弁当パックにおいても同様に解決できる。
【考案の効果】
【０００５】  以上説明したように、本発明は、使い捨てのパック寿司の弁当で、パックの蓋の内側に醤油を入れる小皿部を設けた事で、本来の醤油を入れる小皿と同様に安定な状態になり、従来の不便、不都合が解消された効果が生じ、又、パック蓋の金型の追加加工、修正のみで対応出来るため、あらたな設備、作業が必要なく従来の作業で成形できと同時に他の樹脂製のパック弁当にも応用でき効果が．期待できる。
【考案を実施するための最良の形態】
【０００６】  以下、本考案の実施の形態を説明する。
寿司パック又は各種弁当のパックの蓋（１）の裏側内部中心部に長方形、円形等の各種形状の立ちあがりの凸部のドテ（２）を設ける、そしてこの凸部のドテの内側を小皿（３）にして、醤油（４）小袋を切って小皿（３）に注ぎ使用する。
本考案は、以上の構成よりなっている。
【図面の簡単な説明】
【０００７】
【図１】  本考案の立ち上がりの凸部のドテを設けた実施斜視図である
【図２】  図１の実施例の醤油が溜まった状態の斜視図
【図３】  本考案の凸部の一部の断面図
【図４】  本考案の醤油が溜まった一部の断面図
【図５】  本考案の正面図
【図６】  本考案の平面図
【図７】  本考案の底面図
【図８】  本考案の正面図のＡ−Ａ′線断面図
【図９】  本考案の右側面図
【図１０】  本考案の右側面のＢ−Ｂ′線断面図
【符号の説明】
【０００８】    １  寿司パックの蓋
２  凸部のドテ
３  小皿
４  醤油
【図１】
0003142554.tif 000003
【図２】
0003142554.tif 000004
【図３】
0003142554.tif 000005
【図４】
0003142554.tif 000006
【図５】
0003142554.tif 000007
【図６】
0003142554.tif 000008
【図７】
0003142554.tif 000009
【図８】
0003142554.tif 000010
【図９】
0003142554.tif 000011
【図１０】
0003142554.tif 000012
(57)【要約】      （修正有）【課題】注目度をあげることのできる据置型の広告看板を提供する。【解決手段】据置型の広告看板に無料広告紙置き棚を設ける事で相乗効果がアップする。又、電照を１００Ｖ電源から太陽光発電に変えることで１００Ｖ電源を考えずに設置でき、環境に配慮できる。また、無料広告紙置棚は、該広告看板の左右いずれからでも、抜き取れる構造とし、広告を抜き取った後は、自動で閉まる扉を設け、雨で無料広告紙が濡れないようにする。【選択図】図２
0003142571.tif 000002
【実用新案登録請求の範囲】
【請求項１】
広告看板▲２▼無料広告紙置き棚▲４▼扉▲３▼と、キャスター▲５▼が一体となった構造物
【請求項２】
広告看板▲２▼無料広告紙置き棚▲４▼扉▲３▼キャスター▲５▼が一体となった広告板の上に電照▲６▼用の太陽光発電▲１▼を設備した構造物
【請求項３】
広告看板▲２▼無料広告紙置き棚▲４▼扉▲３▼キャスター▲５▼が一体となった広告板の上の太陽光発電▲１▼の方向を変えるユニオン▲７▼を設けた構造物
【考案の詳細な説明】
【技術分野】
【０００１】  本考案は、太陽光発電広告看板と広告紙に関する。
【背景技術】
【０００２】  従来の小型据置看板は広告用の看板のみであった。又、その看板の電照は１００Ｖ電源を使用していた。
【考案の開示】
【考案が解決しようとする課題】
【０００３】  しかし、広告用看板だけでは看板収入効果がアップしない。
【課題を解決するための手段】
【０００４】  そこで、広告用看板▲２▼に広告紙用の置き棚▲４▼を設ける。又、その広告看板の電照▲６▼は太陽光発電▲１▼で行う。
【考案の効果】
【０００５】  よって、本考案の太陽光発電看板付広告紙置き棚により読者が無料広告紙を取ることにより看板効果がアップする。又、無料広告紙が通路など身近にある為に多くの情報を発信することができる。尚、広告の電照▲６▼を太陽光発電▲１▼で行うことで環境にやさしくなる。又、電源の１００Ｖを使用しないので、あらゆる場所に設置できる。
【考案を実施するための最良の形態】
【０００６】  本考案に係る太陽光発電▲１▼は光を良く集める一番上に設置し、南の方角に向くようにユニオン▲７▼を設ける。広告看板▲２▼の電照▲６▼は太陽光発電▲１▼で発電し、広告看板▲２▼は左右に設ける。無料広告紙置き棚▲４▼は、左右両側に設けどの方向からも抜き取る事ができるようにし、スペースにより下側に棚を設けても良い。又、雨で広告紙が濡れないように扉▲３▼を設け、広告紙を取った後は自動で閉まるようにする。本体を出し入れする時に、移動しやすくするためにキャスター▲５▼を設ける。
【産業上の利用可能性】
【０００７】  以上、説明したように本考案は、広告用看板の効果をアップし無料雑誌や求人紙の設置による情報が身近になってくる。近年、求人紙は大都市から地方都市への求人が多く、その求人紙の設置場所が求められている。
【図面の簡単な説明】
【０００８】
【図１】現状の広告看板
【図２】太陽光発電看板付無料広告紙置き棚の正面図と側面図
【符号の説明】
【０００９】  １      太陽光発電  ２      広告用看板  ３      扉  ４      無料広告紙置き棚  ５      キャスター  ６      電照  ７      ユニオン
【図１】
0003142571.tif 000003
【図２】
0003142571.tif 000004
(57)【要約】      （修正有）【課題】使用者がクッション材を使用者一人ひとりに合った位置に自ら貼り付けることができるインソールを提供する。【解決手段】土踏まずをサポートするアーチサポートクッション（ア）、中足関節の横アーチをサポートするメタタルザルアーチサポートクッション（イ）、足底の接地角度を調節するウェッジクッション（ウ）、足底のツボや反射区を刺激する指圧用ポッチ（エ）、ベース板からなり、各クッションをベース板の貼りたいと希望する場所に任意に組み合わせて貼り付けることにより使用する。【選択図】図５
0003142576.tif 000002
【実用新案登録請求の範囲】
【請求項１】
土踏まずをサポートするアーチサポートクッション、中足関節の横アーチをサポートするメタタルザルアーチサポートクッション、足底の接地角度を調節するウエッジクッション、足底のツボや反射区を刺激する指圧用ポッチ、ベース板からなり、各クッションをベース板の貼りたいと希望する場所に任意に組み合わせて貼り付けることにより使用するインソール。
【考案の詳細な説明】
【技術分野】
【０００１】
本考案は、インソールとそれに貼り付けできるクッションと指圧用ポッチに関する。
【背景技術】
【０００２】
従来のクッション付きインソールや指圧機能つきインソールでは、あらかじめ決まった位置にクッション材が固定されていた。
【考案の開示】
【考案が解決しようとする課題】
【０００３】
しかし、これでは人一人ひとりの足の形は違うのに決まった場所にしかクッション材が当たらず、インソール本来の目指している効果が得られない場合がある。また、オーダーメイドで足の形を採り、製作する足底板は主に整形外科で治療用装具として用いられるが、非常に高価になり、また、傷病の治療用と位置づけられてしまっている為、一般には普及しにくい。
【課題を解決するための手段】
【０００４】
そこで、図１の土踏まず用アーチ（ア）、図２のメタタルザルアーチ（イ）、図３のウエッジ（ウ）、図４の指圧用ポッチ（エ）をそれぞれ別々に製作し、それを図５のベースとなるインソールに使用者が自ら貼り付けることが出来るインソールを考案した。使用者はまず、改善したいと思う症状に対して効果のある指圧位置、クッション取り付け位置を確認し、ベース板にえんぴつで下書きをする。その後、各位置に指圧用ポッチおよびクッションを両面テープで貼り付ける。
【考案の効果】
【０００５】
よって、本考案のクッションおよび指圧用ポッチ貼り付け式インソールを使用することにより、使用者は足ツボマッサージと治療用装具の二つの効果を同時に得ることが出来、使用者一人ひとりに合ったクッション位置を取ることにより、オーダーメイドに近い感覚のインソールを安価に手に入れることが出来るようになる。また、各クッションや指圧用ポッチを自分の好みに合わせて貼り方を変える事により、様々な仕様のインソールを自ら製作することが出来る。
【考案を実施するための最良の形態】
【０００６】
本考案に係るクッション貼り付け式インソールは、土踏まずをサポートする図１のアーチクッション（ア）、中足関節の横アーチをサポートする図２のメタタルザルアーチクッション（イ）、足底の接地角度を調整する図３のウエッジクッション（ウ）、足底のツボや反射区を刺激する図４の指圧用ポッチ（エ）、それぞれを貼り付ける図５のベース板の５点から成り、指圧用ポッチ（エ）は片足側につき２個〜３個付属している。アーチクッション（ア）、メタタルザルアーチクッション（イ）、ウエッジクッション（ウ）、指圧用ポッチ（エ）の各裏面には両面テープ（１）が貼られている。これをベース板の表もしくは裏面に貼り付ける。それぞれのクッション、ポッチの材質はアーチクッション（ア）、メタタルザルアーチクッション（イ）はサンペリカや発泡ゴムなどの比較的やわらかいクッション性のある素材、ウエッジクッション（ウ）、指圧用ポッチ（エ）はソフトEVAやゴム、プラスチックなどのヘタリの少ない素材、ベース板はエバーコルクなどの熱可塑性樹脂でヘタリが少ないが触感が良好な素材が望ましい。
【図面の簡単な説明】
【０００７】
【図１】アーチクッションの平面図
【図２】メタタルザルアーチクッションの平面図
【図３】ウエッジクッションの平面図
【図４】指圧用ポッチの平面図
【図５】図１から図４までのクッションを表もしくは裏面にそれぞれ貼り付けたベース板の平面図
【図６】図５の斜視図
【符号の説明】
【０００８】
ア          アーチクッション
イ          メタタルザルアーチクッション
ウ          ウエッジクッション
エ          指圧用ポッチ
１          両面テープ
【図１】
0003142576.tif 000003
【図２】
0003142576.tif 000004
【図３】
0003142576.tif 000005
【図４】
0003142576.tif 000006
【図５】
0003142576.tif 000007
【図６】
0003142576.tif 000008
(57)【要約】      （修正有）【課題】尿を検査することにより、エイズ感染を簡易に知ることができる検査器具を提供する。【解決手段】検査器具１の先端部分を検査対象の尿２にあてることにより、Ｔ４リンパ球やマイクロファージ(免疫細胞)が減少している場合には検査器具１の印３の表示色が変わることによりエイズ感染を認知することができる。【選択図】図１
0003142508.tif 000002
【実用新案登録請求の範囲】
【請求項１】
ＷＨＯとＵＮＡＩＤＳによるとＨＩＶ（エイズ）患者は４千万人、エイズは血液内のＴ４リンパ球やマイクロファージ（免疫細胞）など序序に破壊……しかし、血液を採取しなければ感染がわからず不便であったため、よって、尿による妊娠検査機のような検査器具にあてて  Ｔ４リンパ球やマイクロファージ（免疫細胞）など減少していることを感染で色がかわる印によってエイズ感染を知る簡易性エイズ認知による医療品。
【考案の詳細な説明】
【技術分野】
【０００１】エイズ感染を認知する医療用品である
検査器具、尿、感染認知印によるエイズ解決のための医療品実願登録である。
【背景技術】
【０００２】従来のエイズ感染検査としては、注射により血液を調べるものだけで、治療に効果が薄かった。
【考案が解決しようとする課題】
【０００３】従来のエイズ感染器具では不便があり、それを尿と連動することによって不便を完全にシャットアウトし、これでエイズ症感染を簡易で知る医療品である。
【課題を解決するための手段】
【０００４】本考案は、尿、検査器具、感染印で、簡易感染を知る医療器具
【考案の効果】
【０００５】尿、検査器具、感染印で、簡易感染を知る医療器具で簡単に検査できる効果あり。
【考案の実施するための最良の形態】
【０００６】従来のエイズ感染器具では不便があり、それを尿と連動することによって不便を
0003142508.tif 000003
【実施例１】
【０００７】尿（２）を尿による妊娠検査機のような検査器具（１）にあてて、Ｔ４リンパ球やマイクロファージ（免疫細胞）など減少していることを感染で色がかわる印（３）によってエイズ感染を知る簡易性エイズ感染による実願医療品である。
0003142508.tif 000004
不便さを解消し、持ち運びや携帯に便利という効果がある。
【図面の簡単な説明】
【０００８】
【図１】本考案の尿によるエイズ感染器具の一実施例を示す立体図である。
【符号の説明】
【０００９】（１）は、検査器具
（２）は、尿
（３）は、検査感染の印
【図１】
0003142508.tif 000005
【手続補正書】
【提出日】平成19年6月22日(2007.6.22)
【手続補正１】
【補正対象書類名】実用新案登録請求の範囲
【補正対象項目名】全文
【補正方法】変更
【補正の内容】
【実用新案登録請求の範囲】
【請求項１】
尿による妊娠検査機のようなエイズ感染検査器具、ＷＨＯとＵＮＡＩＤＳによるとＨＩＶ患者は４千万人  エイズは、血液内のＴ４リンパ球やマイクロファージなど序序に破壊するが、血液を採取しなければ感染がわからず不便であり、よって、尿にあてて、Ｔ４リンパ球やマイクロファージなど減少していることを感染で色がかわる印によってエイズ感染を知る簡易性エイズ認知による実願医療品である。
【手続補正書】
【提出日】平成19年8月23日(2007.8.23)
【手続補正１】
【補正対象書類名】実用新案登録請求の範囲
【補正対象項目名】全文
【補正方法】変更
【補正の内容】
【実用新案登録請求の範囲】
【請求項１】
尿による妊娠検査機のようなエイズ感染検査器具。
ＷＨＯとＵＮＡＩＤＳによるとＨＩＶ患者は４千万人  エイズは、血液内のＴ４リンパ球やマイクロファージを序序に破壊するが、血液を採取しなければ感染がわからず不便であり、よって、尿にあてて、Ｔ４リンパ球やマイクロファージが減少していることを感染で簡易器具の色がかわる印によってエイズ感染を知る簡易妊娠検査器具と同形状の、簡易性エイズ認知による実願医療品であるエイズ簡易家庭検査器具。
【手続補正書】
【提出日】平成19年10月25日(2007.10.25)
【手続補正１】
【補正対象書類名】実用新案登録請求の範囲
【補正対象項目名】全文
【補正方法】変更
【補正の内容】
【実用新案登録請求の範囲】
【請求項１】
尿による妊娠検査機のようなエイズ感染検査器具の形態でＷＨＯとＵＮＡＩＤＳによるとＨＩＶ患者は４千万人がエイズ患者で、尿にあてて、Ｔ４リンパ球やマイクロファージが減少していることを感染で鑑定し  簡易器具の色がかわる印によってエイズ感染を知る簡易性エイズ認知による実願医療品であるエイズ簡易家庭検査器具。
【手続補正書】
【提出日】平成19年12月27日(2007.12.27)
【手続補正１】
【補正対象書類名】実用新案登録請求の範囲
【補正対象項目名】全文
【補正方法】変更
【補正の内容】
【実用新案登録請求の範囲】
【請求項１】
尿による図（１）のようなエイズ感染検査器具の形態で、尿・図（２）をあてて、Ｔ４リンパ球やマイクロファージが減少していることを鑑定し、簡易器具の色がかわる印・図（３）によってエイズ感染を知る（赤にかわれば感染可能性大、青なら感染可能性少ない）、簡易性エイズ認知による実願医療品であるエイズ簡易家庭検査器具。
【手続補正書】
【提出日】平成20年3月10日(2008.3.10)
【手続補正１】
【補正対象書類名】実用新案登録請求の範囲
【補正対象項目名】全文
【補正方法】変更
【補正の内容】
【実用新案登録請求の範囲】
【請求項１】
器具は細長い形状で先端が細くなってセンサーがついておりそこに尿をあて、つかむところにエイズ感染の有無を知る印があり、尿内のＴ４リンパ球やマイクロファージが通常の量より減少していることを内蔵の超小型電子計算機器により確認し印のところの有機ＥＬディスプレイパネルで表示し、エイズの感染可能性大つまり減少しているなら印が赤に、可能性が少なければつまり通常範囲なら印が青に表示される簡易性エイズ認知による実願医療品であるエイズ簡易家庭検査器具。
(57)【要約】      （修正有）【課題】従来の、水道下水配管等は、破損しやすく、防護上問題がある。そこで、配管の補強、保護および柔軟性を持たせることができる炭素繊維補強、保護材を提供する。【解決手段】配管を炭素繊維で被覆する。【選択図】図１
0003142506.tif 000002
【実用新案登録請求の範囲】
【請求項１】
本案は、樹脂等で補強した炭素繊維を配管、配線等の周りに編み上げてた、炭素繊維補強被覆材である。
【考案の詳細な説明】
【技術分野】
【０００１】  本案をは、配管の周りに施すことで、配管の補強保護およびフレキシビリティを得ることができる。【０００２】  本案を水道管、配水管等の周りに被覆することで、配管の補強、保護材として、また、耐久材として地震等の対策としてフレキシビリティを得ることができる。【０００３】  本案を、電線等の周りに施すことで、電線等の補強、保護材として利用することができる。
【背景技術】
【０００４】  従来、配管等は塩ビ、陶器管等硬質素材が使われており、フレキシビリティに劣り地震時に破損する可能性が高かったので破損しやすく、防護上問題がある。
【考案の効果】
【０００５】  本案を軟質樹脂管等に施すことで、地震等の対策としてのフレキシビリティに有用である。
【考案を実施するための最良の形態】
【０００６】  詳しくは、図面１による。
【産業上の利用可能性】
【０００７】  各種配管、配線等の防護材、補強材利用が考えられる。
【図面の簡単な説明】
【０００８】
【図１】  説明図  本案の簡単な構成説明図です
【図１】  構成図
【図２】  簡単な工法説明図
【図１】
0003142506.tif 000003
【図１】
0003142506.tif 000004
【図２】
0003142506.tif 000005
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
樹脂等で補強した炭素繊維を配管、配線等の周りに編み上げ、樹脂コーティングして、配管、配線等を保護する炭素繊維補強被覆シーリング配管、配線である。
【手続補正２】
【補正対象書類名】明細書
【補正対象項目名】０００８
【補正方法】変更
【補正の内容】
【０００８】
【図１】  構成図、説明図、本案の簡単な構成説明図です
【図２】  簡単な工法説明図
【手続補正書】
【提出日】平成19年8月16日(2007.8.16)
【手続補正１】
【補正対象書類名】図面
【補正対象項目名】全図
【補正方法】変更
【補正の内容】
【図１】
0003142506.tif 000006
【図２】
0003142506.tif 000007
(57)【要約】      （修正有）【課題】頑固な便秘にかん腸器を使用する際、便の穿孔を行って効果を高めたかん腸器を提供する。【解決手段】かん腸器の先端にネジ機構１を設け、硬い便に対して穿孔した後、硬い便の中心部に薬液貯留部２より薬液を噴出させることにより、便の排出効果を高めることができる。【選択図】図１
0003142549.tif 000002
【実用新案登録請求の範囲】
【請求項１】
かん腸器の先端にネジ機構を設け、便にたいして穿孔を行うことによって、薬液の注入をより効果的なものとすることを目的としたかん腸器。
【考案の詳細な説明】
【技術分野】
【０００１】この考案は頑固な便秘にたいする安直な解決方法を図ろうとするものである。
【背景技術】
【０００２】硬い便を穿孔して後、薬液の噴出を行うことにより効果を高めたい。
【考案の開示】
【考案が解決しようとする課題】
【０００３】硬い便にたいしてネジ機構を備えて穿孔を可能ならしめること。
【課題を解決するための手段】
【０００４】かん腸器の先端にネジ機構を設置する。
【考案の効果】
【０００５】硬い便の中心部に薬液を注入するため、排出のための効果を高めることができる。
【考案を実施するための最良の形態】
【０００６】ネジ機構が、使用の際、周囲を傷つけることのないよう、過度のするどい作りを避けたい。
【実施例】
【０００７】先端を適当なとがり具合の角度にしあげたい。
【産業上の利用可能性】
【０００８】安価で有意義である。
【図面の簡単な説明】
【０００９】
【図１】本考案の正面図
【図２】本考案の平面図
【符号の説明】
１  ネジ機構          ２  薬液貯留部
【図１】
0003142549.tif 000003
【図２】
0003142549.tif 000004
(57)【要約】      （修正有）【課題】長時間使用しても耳が痛くならず、帽子の縁を耳からずらしたり、帽子の縁で耳を覆ったりすることなく、すばやくマスクを使用できる、耳当て部の外側にボタンを取り付けた防寒用毛糸の帽子を提供する。【解決手段】耳当て部の外側にボタン１を取り付けた防寒用毛糸の帽子２。【選択図】図２
0003142543.tif 000002
【実用新案登録請求の範囲】
【請求項１】
耳当て部の外側にボタン１を取り付けた防寒用毛糸の帽子２。
【考案の詳細な説明】
【技術分野】
【０００１】  この考案は、マスク３の耳かけゴム紐４がかけられる防寒用毛糸の帽子２に関するものである。
【背景技術】
【０００２】  耳かけゴム紐４があるマスク３を使用する場合、耳かけゴム紐４を耳５にかけていた。
【考案の開示】
【考案が解決しようとする課題】
【０００３】  これには次のような欠点があった。
１：長時間使用していると、耳かけゴム紐４の収縮によって耳５が痛くなってくる。
２：耳５まで覆うことのできる防寒用毛糸の帽子２をかぶっている状態で、耳かけゴム紐４があるマスク３を使用する場合、防寒用毛糸の帽子２の縁を耳５からずらして、耳かけゴム紐４を耳５にかけ、その後再び、防寒用毛糸の帽子２の縁で耳５を覆わなければならない。
本考案は、この欠点をなくすためになされたものである。
【課題を解決するための手段】
【０００４】  本考案は、図２で示すように  耳当て部の外側にボタン１を取り付けた防寒用毛糸の帽子２である。
【考案の効果】
【０００５】  本考案により、次の効果を生む。
１：長時間使用しても、耳かけゴム紐４をボタン１にかけるので耳５が痛くならない。
２：防寒用毛糸の帽子２の縁を耳５からずらしたり、防寒用毛糸の帽子２の縁で耳５を再び覆ったりすることなく、すばやくマスク３を使用することができる。
【考案を実施するための最良の形態】
【０００６】  以下、本考案を実施するための最良の形態を説明する。
本考案は、耳当て部の外側にボタン１を取り付けた防寒用毛糸の帽子２である。
防寒用毛糸の帽子２は縁を伸ばせば耳５を覆うことができる。
この耳５を覆う部分の外側にボタン１を取り付ける。
ボタン１は、中央部に孔が複数設けられている円盤状のもの（図示しない）を使用して、針と糸を使用して防寒用毛糸の帽子２に縫い付ける。
こうすると、ボタン１と縫い付けた糸が一体になって耳５と同じ役割を果たし、耳かけゴム紐４がかけられる。
ボタン１の数は、耳かけゴム紐４がかけられるように、大きいボタンの場合１個で十分であり、小さいボタンの場合２個ないしは３個程度にする。
【他の実施例１】
【０００７】  図３で示すように、防寒用耳あてサポーター１０を使用する場合は、耳当て部の外側にボタン１を取り付ければよい。
【他の実施例２】
【０００８】  図４で示すように、防寒用耳あてヘアバンド２０を使用する場合は、耳当て２１の外側にボタン１を取り付ければよい。
【図面の簡単な説明】
【００１０】
【図１】は、従来の防寒用毛糸の帽子をかぶって、マスクを使用している図である。
【図２】は、本考案を使用して、マスクを使用している図である。
【図３】は、本考案の他の実施例を表す図である。
【図４】は、本考案の他の実施例を表す図である。
【符号の説明】
【００２０】１  ボタン    ２  毛糸の帽子    ３  マスク    ４  耳かけゴム紐    ５  耳
１０  耳あてサポーター
２０  耳あてヘアバンド    ２１  耳あて
【図１】
0003142543.tif 000003
【図２】
0003142543.tif 000004
【図３】
0003142543.tif 000005
【図４】
0003142543.tif 000006
(57)【要約】      （修正有）【課題】書物を吊り下げ，寝転び姿勢で読書が出来る、クリップ三脚を提供する。【解決手段】クリップ三脚本体は３本の支持脚４ａ，４ｂ，４ｃと１本の保持棒５とを１個の蝶ねじ６で締め付け、この蝶ねじ６を中心に３本の支持脚の開度と保持棒の傾斜角度を調整できる様にした事を特徴とするクリップ三脚。【選択図】図１
0003142545.tif 000002
【実用新案登録請求の範囲】
【請求項１】
３本の支持脚と１本の保持棒とこの保持棒に設けたクリップから構成され、前記３本の支持脚と１本の保持棒とを１個の蝶ねじで締め付けこの蝶ねじを中心に３本の支持脚の開度と、保持棒の傾斜角度を調節出来る様にしたことを特徴とするクリップ三脚。
【考案の詳細な説明】
【技術分野】
【０００１】本考案は３本の支持棒と１本の保持棒と、この保持棒に設けたクリップを固着した、三脚に関するものである。
【背景技術】
【０００２】従来の三脚は高姿勢で使用する為の延長棒である為寝転び姿勢で使用するには多機能を備えておらず不便である。
【考案の開示】
【考案が解決しようとする課題】
【０００３】従来、寝転び姿勢で、書物を手に持ち続け読書していると腕の負担が大きく、長時間の読書が苦痛であった。
本考案は、この様な欠点を解決しようとするものである。
【課題を解決するための手段】
【０００４】［本考案は３本の支持脚と１本の保持棒とこの保持棒に設けたクリップとを固着し三脚を構成した。
【考案の効果】
【０００５】上述の様に、本考案のクリップ三脚はクリップ２ａ，３ａで、一枚ずつ少分けしながら、寝転び姿勢で読書が出来、読書を中断する際もクリップが役立ち簡便である。更に三脚の設置足場が傾斜もしくは、寝具などで段差が異なっていても水平に調整が出来倒れる心配がない、また、三脚の４ａ．４ｂ．４ｃを折り曲げた状態で、保持棒５のみでの使用も可能である。
【考案を実施するための最良の形態】
【０００６】本考案のクリップ三脚はアルミ材からなる支持脚４ａ，４ｂ，４ｃを同寸法の長さ２５０ｍｍ幅１５ｍｍ厚さ３ｍｍの主軸足３本に整え、保持棒５を長さ２５０ｍｍ幅１５ｍｍ厚さ３ｍｍ下先端を揃え、蝶ねじ図６で締め付け三脚を構成し、更に保持棒５の上先端にクリップ２ａと３ａを重ね合わせビス止めにて固着したものを取り付け、クリップ三脚を合体化した。【０００７】次に本考案のクリップ三脚の使用例を説明する。
３本の支持脚と１本の保持脚とを１個の蝶ねじで締め付けた事により、高さの調整が出来、段差のある場所でも１本の保持棒が垂直に調整出来、安定と転倒防止をする、また、前述のクリップ大小をビスで固着し三脚保持棒の上先端に取り付け書物の厚いページはクリップ大２〜ａで挟み小分けしたページをクリップ小３ａで挟み手軽に書物のページ捲りが出来る。
【図面の簡単な説明】
【０００８】
【図１】三脚上部にクリップを取り付けた全体図である。
【図２】大クリップの正面図である。
【図３】小クリップの正面図である。
【図４】支持棒の斜視図である。
【図５】保持棒の斜視図である。
【図６】蝶ねじの断面図である。
【図７】三脚に書物を吊るした正面図である。
【符号の説明】
【０００９】  ２ａ  クリップ大
２ｂ  クリップ大
３ａ  クリップ小
３ｂ  クリップ小
４ａ  三脚支持棒
４ｂ  三脚支持棒
４ｃ  三脚支持棒
５    三脚保持棒
６    蝶ねじ
７    蝶ねじの取り付け位置
８    書物
【図１】
0003142545.tif 000003
【図２】
0003142545.tif 000004
【図３】
0003142545.tif 000005
【図４】
0003142545.tif 000006
【図５】
0003142545.tif 000007
【図６】
0003142545.tif 000008
【図７】
0003142545.tif 000009
(57)【要約】      （修正有）【課題】環境にやさしく、折り紙方式の為コンパクトで移動が容易であり、従って組立ても簡単で本来の灯篭を提供する。【解決手段】全て環境破壊を考慮に入れた材質を使用し、立方体折袋図１を設け、紙袋の中底に別添付のダンボール紙に蝋燭立て穴４を設け蝋燭が焼尽した後、吸着蝋燭液４から紙袋の水面に接する底面を残し全焼さす事を特徴とする。【選択図】図１
0003142544.tif 000002
【実用新案登録請求の範囲】
【請求項１】
上面開口の立方体の紙袋内底面にダンボール紙を設け、このダンボール紙の中央に蝋燭立て用の切り込み穴を開け、前記ダンボール紙は蝋燭の液状蝋材を吸着できる材質とし、蝋燭が燃え尽きた時の炎によってダンボール紙に吸着させた蝋材が燃えて紙袋が燃えるようにした事を特徴とする灯篭。
【考案の詳細な説明】
【技術分野】
【０００１】本考案は、お盆の行事の一環として先祖の霊が冥土にお帰りになる日に送り火を焚く、又は海や川に灯篭を流し送り火として行われるものである。
【背景技術】
【０００２】従来の灯篭は枠組と蝋燭立ての素材が木材と釘で作られており、今日では環境破壊につながり回収せねばならなくなっている。
【考案の開示】
【考案が解決しようとする課題】
【０００３】従来の灯篭では環境破壊の為、終了後全て回収の必要があり回収モレも発生し時間と労力が掛かっている、本考案はこの様な欠点を解決しようとするものである。
【課題を解決するための手段】
【０００４】本考案は、環境破壊に考慮した紙質からなる紙袋であり上面を開口している、この紙袋内底面に収納した別添付のダンボール紙を蝋燭立に形成したことにより問題点を解決している。
【考案の効果】
【０００５】上述の様に本考案の灯篭は、上面開口の立方体の紙袋内底面に収納したダンボール紙に切り込み穴を開け挿し込んだ蝋燭が燃え尽きた時の炎によって、ダンボールに吸着された蝋材に点火し、紙袋が燃え尽きる事によって、環境破壊の一助となる。
【考案を実施する為の最良の形態】
【０００６】本考案の灯篭は環境破壊を考慮に入れた材質の紙を縦１３５ｍｍ横１３５ｍｍ高さ１９０ｍｍに形成した立方体紙袋図１の内袋の底面にダンボール紙縦１３５ｍｍ横１３０ｍｍを設け、このダンボール紙の中央に蝋燭立て用の切り込み穴を開け、更に切り込み穴４から側面５に液状蝋材を吸着させた図３を装着する、尚、実施に至っては、燃え尽きる時間帯に合ったサイズの蝋燭を使用し、ダンボール中央の切り込み穴に差込み図２の形態で行う。
【図面の簡単な説明】
【０００７】
【図１】  本考案の灯篭の斜視図である
【図２】  同じく灯篭の内底に設けたダンボールに蝋燭を立てた状態の断面図である。
【図３】  ダンボール紙に穴を設けた斜視図である
【符号の説明】
【０００８】  １、袋紙
２、ダンボール紙
３、蝋燭
４、穴
５、蝋燭液を流す位置
【図１】
0003142544.tif 000003
【図２】
0003142544.tif 000004
【図３】
0003142544.tif 000005
(57)【要約】      （修正有）【課題】真カビの発生を抑制するために、天然ワサビ抽出物を通気性をもった小袋に入れた状態で、割箸と同封することにより、強い抗菌力を揮発させ、真カビの増殖を抑制する割箸を提供する。【解決手段】割箸１とワサビ抽出物３を、袋体２に同封することにより、ワサビ抽出物３のアリルイソオシアネ−トによって、真カビの発生を抑制することができる。【選択図】図１
0003142541.tif 000002
【実用新案登録請求の範囲】
【請求項１】
複数本の、割箸（１）とワサビ抽出物（３）を袋体（２）に同封した割箸（１）とワサビ抽出物（３）と袋体（２）の組合せ。
【考案の詳細な説明】
【技術分野】
【０００１】  本考案は、複数本の割箸を入れる袋体に、ワサビ抽出物を同封して、真カビの発生を抑制することに関する。
【背景技術】
【０００２】  従来の複数本割箸の袋体には、乾燥剤を同封していた。
【考案の開示】
【考案が解決しようとする課題】
【０００３】  しかしこれでは、乾燥剤が短期日のうちに水分を吸収してしまい、効能を失うと共に、真カビの発生を抑制する目的を成すことができなかった。
【課題を解決するための手段】
【０００４】  そこで、真カビの発生を抑制するために、天然ワサビ抽出物を通気性をもった小袋に入れた状態で、割箸と同封することにより、強い抗菌力を揮発させ、真カビの増殖を抑制するものである。
【考案の効果】
【０００５】  よって、ワサビ抽出物と割箸を同封した袋体の内部では、ワサビ油成分が、僅かずつ揮発し、袋体内部に充満することにより、真カビの発生を持続的に抑制する効果がある。
【考案を実施するための最良の形態】
【０００６】  本考案に係わる、ワサビ抽出物を同封した割箸は、例えば１００膳の複数本割箸を、袋体に差し入れると同時に、ワサビ抽出物を通気性（極小目メッシュ）の小袋に入れ、袋体の中に差し入れることで、真カビ発生の抑制効果を持続促進する。【０００７】１、割箸を振動回転させながら、ワサビ抽出物の粉体を微小振り掛け、真カビの増殖抑制を成す。
２、ワサビ抽出物を溶かした液体に、割箸を小時間浸すか、又は噴霧して乾燥させて真カビの増殖抑制を成す。
３、ワサビ抽出物を揮発させた炉の中を通過させて、真カビの増殖抑制を成す。【０００８】  倉庫や物品棚等で在庫中に、真カビが発生して、商品としての価値がなくなり、廃棄処分することで欠損を生じる。
本考案は、真カビの発生を抑制することにあり、在庫期間を伸ばすことができるものである。
【図面の簡単な説明】
【０００９】
【図１】  本考案に係わる、袋体に割箸とワサビ抽出物を同封した状態の斜視図である。
【図２】  本考案に係わる図１の一部断面図である。
【符号の説明】
【００１０】  １、  割箸
２、  袋体
３、  ワサビ抽出物
【図１】
0003142541.tif 000003
【図２】
0003142541.tif 000004
(57)【要約】      （修正有）【課題】ノズル先端位置の調整が可能で、シリンジ間の取り付けピッチを小さく出来るシリンジを提供する。【解決手段】シリンジ１の外筒２は金属製で成り、外周に雄ねじ９を刻設し、内部にピストン３を挿入し、出口キャップ４の先端にノズル５を装着する。出口キャップ４は、雄ねじ９と嵌合する固定ナット６で外筒２に固定されている。さらに雄ねじ９と嵌合する調整ナット７，８を螺合さし、外筒２をシリンジ取り付け台１０に挿入して両側から調整ナット７，８で挟みこみ固定する。【選択図】図１
0003142547.tif 000002
【実用新案登録請求の範囲】
【請求項１】
シリンジ外周に雄ねじを刻設し、調整ナットを嵌合した液体吐出用シリンジ。
【考案の詳細な説明】
【技術分野】
【０１】薬品、接着剤、ペースト等の流体の分析、液送、塗布に於いて微量の吐出、吸入に使用する液体吐出用シリンジに関する。
【背景技術】
【０２】近年ＤＮＡ分析、液晶の塗布、試薬の塗布、接着剤塗布等でナノリットル、ピコリットルの吐出量が要求される。この様な微量吐出のとき、ノズル先端と塗布面との距離を正確に設定することが必要である。さらに複数本のシリンジで多点塗布を行なう場合、塗布面とノズル先端との距離を、全シリンジ揃えることが重要である。この距離が揃っていないと塗布量のバラツキが発生する。【０３】シリンジの取付け位置を直接、手で調整するものは正確な調整は困難であった。【０４】シリンジの取り付け台に微調整機構を付加するのも、その都度設計製作が必要となり面倒であった。
【課題】
【０５】ノズル先端位置の調整が可能で、シリンジ間の取り付けピッチを小さく出来るシリンジを提供する。
【解決手段】
【０６】シリンジ外周に雄ねじを刻設し、ナットを２個装着し、シリンジ取付け台を挟み込んで取り付ける。
【実施例１】
【０７】シリンジ１の外筒２は金属製で成り、外周に雄ねじ９を刻設し、内部にピストン３を挿入し、出口キャップ４の先端にノズル５を装着する。出口キャップ４は、雄ねじ９と嵌合する固定ナット６で外筒２に固定されている。さらに雄ねじ９と嵌合する調整ナット７，８を螺合さし、外筒２をシリンジ取り付け台１０に挿入して両側から調整ナット７，８で挟みこみ固定する。【０８】調整ナット７，８の回転調整により、シリンジ１とシリンジ取り付け台１０との位置を調整し、ノズル５先端と塗布面との距離を調整する。
【利点】
【０９】▲１▼雄ねじ９はシリンジ１の外径を増大させずに刻設できる。既存の取り付け台を改造することなく取り付け可能。
▲２▼ナット７，８の回転による調整は、ミクロン単位の微調整が容易に行なえ、複数のシリンジのノズル先端と塗布面との距離を揃えるのが容易。ナット７，８の外周に回転目盛を付加すると一層調整が容易になる。
▲３▼構造が簡単で安価に提供できる。
【実施例２】
【１０】シリンジ２０は外筒２１がガラス製で成り、外周に金属筒２２を同心に接着している。金属筒２２の外周に雄ねじ２３を刻設し、雄ねじ２３と嵌合する調整ナット２４、２５を設置する。金属筒２２には窓２６を開口する。【１１】実施例２と同様に、取り付け台２７に挿入し、調整ナット２４、２５の回転調整により、シリンジ２０と取り付け台２７との位置を調整し、ノズル２８先端と塗布面との距離を調整する。
【利点】
【１２】若干外径は増大するが実施例１と同様の効果がある。
【１３】金属筒２２には窓２６を開口しているのでシリンジ内部の観察に支障がない。
【図面の簡単な説明】
【１４】
【図１】実施例１のシリンジの断面図
【図２】実施例２のシリンジの断面図
【符号の説明】
【１５】１：シリンジ  ２：外筒  ３：ピストン  ４：出口キャップ  ５：ノズル  ６：固定ナット  ７：調整ナット  ８：調整ナット  ９：雄ねじ  １０：シリンジ取り付け台
【図１】
0003142547.tif 000003
【図２】
0003142547.tif 000004